(57)【要約】エレベータ装置は、エレベータの昇降路１内において、かご５が昇降する空間及びかご５が昇降方向に延長して移動した場合の仮想の空間に対して両空間と重ならない空間に設けられた機械室２００を有し、機械室２００は、昇降路１壁面から略水平方向に突設された機械室床２０１と、保守員がかご或いは建物から機械室床に乗り移るための移動手段２０４と、機械室床２０１から略水平方向に突出可能に設けられた拡張床２０８とを有し、拡張床２０８は、かご５が昇降する空間及びかご５が昇降方向に延長して移動した場合の仮想の空間内に突出しないように収納された収納位置と機械室床２０１を延長するように機械室床２０１から伸張された突出位置との間を進退動するように設けられ、機械室床２０１及び拡張床２０８から昇降路１天井まで間の高さは、保守員が作業可能な高さとされている。
2003078289.tif 000002
【特許請求の範囲】
【請求項１】
エレベータの昇降路内において、かごが昇降する空間及び該かごが昇降方向に延長して移動した場合の仮想の空間に対して上記両空間と重ならない空間に設けられた機械室を有し、
上記機械室は、
上記昇降路壁面から略水平方向に突設された機械室床と、
保守員が上記かご或いは建物から上記機械室床に乗り移るための移動手段と、
上記機械室床から略水平方向に突出可能に設けられた拡張床とを有し、
上記拡張床は、上記かごが昇降する空間及び該かごが昇降方向に延長して移動した場合の仮想の空間内に突出しないように収納された収納位置と該機械室床を延長するように該機械室床から伸張された突出位置との間を進退動するように設けられ、
上記機械室床及び上記拡張床から上記昇降路天井まで間の高さは、保守員が作業可能な高さとされている
ことを特徴とするエレベータ装置。
【請求項２】
上記機械室床は、外周縁に落下防止用の機械室壁が立設されている
ことを特徴とする請求項１に記載のエレベータ装置。
【請求項３】
上記機械室床は、上記昇降路内の内壁間にはり渡された梁上に設けられていることを特徴とする請求項１または２に記載のエレベータ装置。
【請求項４】
上記拡張床は、上記収納位置では上記機械室壁の一部をなし、下端部を上記機械室床に回動自在に接続され、上記かごの昇降空間側に倒されて上記突出位置となる
ことを特徴とする請求項１から３のいずれかに記載のエレベータ装置。
【請求項５】
上記拡張床の外周縁に落下防止用の拡張床落下防止壁が設けられている
ことを特徴とする請求項１から４のいずれかに記載のエレベータ装置。
【請求項６】
上記突出位置に突出した上記拡張床は、該拡張床と上記昇降路との間に張り渡されたワイヤによって支持される
ことを特徴とする請求項１から５のいずれかに記載のエレベータ装置。
【請求項７】
上記拡張床は、概略矩形をなし１辺を上記機械室床に回動自在に接続され、他の３辺に上記拡張床落下防止壁がそれぞれ設けられて、隣接する該拡張床落下防止壁及び上記機械室壁は、相互に連結される
ことを特徴とする請求項５に記載のエレベータ装置。
【請求項８】
上記移動手段は、上記かごの天井を介して上記機械室床に移動するはしごである
ことを特徴とする請求項１から７のいずれかに記載のエレベータ装置。
【発明の詳細な説明】
技術分野
この発明は、昇降路内に設けるエレベータの機械室に関し、特に設置空間を小さくすることができ結果として昇降路を小さくすることできるエレベータ装置に関するものである。
技術背景
図９は従来のエレベータ装置を示す昇降路の断面図である。かご５は、垂直方向に延びる昇降路１内を上下方向に昇降する。昇降路１の上には機械室２が設けられている。機械室２内には、かご５を昇降させる巻上機３と、この巻上機３を制御する制御盤４が設置されている。巻上機３には、図示しないロープが巻きまかれ、このロープの一側はかご５を昇降させるためにかご５と係合し、一方、他側はカウンタウエイト６に接続されている。
従来、機械室２を含めた昇降路１の高さを低くするとともに、機械室２の建築費用を削減する目的で、機械室２を図９の破線で示すように機械室２ａとして昇降路１の内側に配置することが提案されている。機械室２ａ内には、同じように巻上機３ａと制御盤４ａが設置されている。
ところで、エレベータ装置においては、かご５の天井に保守員が乗って種々の保守作業を行うことが多い。そのため、かご５の天井と昇降路１の天井との間は所定の高さの空間が要求となる。すなわち、最上階に停止したかご５の天井から昇降路１の天井までの（あるいはかご５から上部の障害物までの）間に所定の寸法（以下オーバーヘッド寸法という）が必要となる。
機械室２が昇降路１の上にある場合のオーバーヘッド寸法は図に示すＨ１であり、機械室２ａを昇降路１内に破線のように構成した場合のオーバーヘッド寸法はＨ２である。Ｈ１とＨ２は実際にはほぼ同じ長さが必要になるので、機械室２ａを単に昇降路１内に設けても、機械室を含めた昇降路１の全高Ｈ３を低くすることはできない。
また、機械室を昇降路１内において、かご５と昇降路１の壁との狭い空間に設けることが考えられるが、機械室は巻上機３や制御盤４の保守を行うために所定の床面積及び保守スペースが必要であり、それを確保しようとすると、機械室の体積が大きくなり、建物内の空間の有効活用が阻害されるので問題であった。
また、特許２５９３２８８号公報に示されるような昇降路１内に巻上機や制御盤を直接配置する提案もされているが、機械室が無いために保守作業において作業性が非常に悪いので問題であった。
この発明は、上述のような課題を解決するためになされたもので、昇降路の全高を高くすることなく機械室を昇降路内に設けることができ、かつ機械室に充分な作業空間を確保することができるエレベータ装置を得ることを目的とする。
発明の開示
この発明に係るエレベータ装置は、エレベータの昇降路内において、かごが昇降する空間及びかごが昇降方向に延長して移動した場合の仮想の空間に対して両空間と重ならない空間に設けられた機械室を有し、機械室は、昇降路壁面から略水平方向に突設された機械室床と、保守員がかご或いは建物から機械室床に乗り移るための移動手段と、機械室床から略水平方向に突出可能に設けられた拡張床とを有し、拡張床は、かごが昇降する空間及びかごが昇降方向に延長して移動した場合の仮想の空間内に突出しないように収納された収納位置と機械室床を延長するように機械室床から伸張された突出位置との間を進退動するように設けられ、機械室床及び拡張床から昇降路天井まで間の高さは、保守員が作業可能な高さとされている。
また、機械室床は、外周縁に落下防止用の機械室壁が立設されている。
また、機械室床は、昇降路内の内壁間にはり渡された梁上に設けられている。
また、拡張床は、収納位置では機械室壁の一部をなし、下端部を機械室床に回動自在に接続され、かごの昇降空間側に倒されて突出位置となる。
また、拡張床の外周縁に落下防止用の拡張床落下防止壁が設けられている。
また、突出位置に突出した拡張床は、拡張床と昇降路との間に張り渡されたワイヤによって支持される。
また、拡張床は、概略矩形をなし１辺を機械室床に回動自在に接続され、他の３辺に拡張床落下防止壁がそれぞれ設けられて、隣接する拡張床落下防止壁及び機械室壁は、相互に連結される。
さらに、移動手段は、かごの天井を介して機械室床に移動するはしごである。
発明を実施するための最良の形態
実施例１．
図１はこの発明のエレベータ装置の断面図である。図２は図１のＩＩ−ＩＩ線に沿う矢視断面図である。かご５は、垂直方向に延びる昇降路１内を上下方向に昇降する。昇降路１内において、かご５が昇降する空間及びかご５が昇降方向に延長して移動した場合の仮想の空間に対して両空間と重ならない空間に機械室２００が設けられている。すなわち、かご５を昇降方向にさらに移動することを仮定した場合図１中点線のように移動するが、本実施例の機械室２００は、この点線で示す面と昇降路壁面との間の空間に設けられている。
図１はかご５が最上階の乗場９に停止している場合を示している。そして、本実施例のかご５は、点線で示すようにさらに上方に実際に移動可能である。しかしながら、本発明の特徴は、かご５が昇降する空間及びかご５が昇降方向に延長して移動した場合の仮想の空間に対して両空間と重ならない空間に機械室２００が設けられていると記載しているように、かご５が機械室２００の真横まで移動しないエレベータ装置も含むものである。
機械室２００の機械室床２０１は、昇降路１内の対向する２つの壁間にはり渡された梁２０２上に設けられている。機械室床２０１は、巻上機３や制御盤４はもとより、かご５やカウンタウエイト６の荷重に耐える強固な作りとされることが必要であり、上述の梁２０２上に設けられてこれを実現している。
機械室床２０１のかご５側の外周縁には、落下防止用の機械室壁２０３が立設されている。なお、機械室壁２０３は、例えばパイプで作製されたような構造が簡単な柵で代用されても良い。機械室床２０１と機械室壁２０３で囲まれた空間が本実施例の機械室２００を形成している。
機械室２００内には、かご５を昇降させる巻上機３と、この巻上機３を制御する制御盤４が設置されている。巻上機３には、ロープ７が巻きまかれ、ロープ７の一側はかご５のかご下かえし車７に係合した後昇降路１の天井に接続され、一方、ロープ７の他側はカウンタウエイト６に接続されている。機械室床２０１には、ロープ７が貫通する２つのロープ穴２０５が穿孔されている。機械室床２０１とかご５の天井との間には、保守員が機械室床２０１に乗り移るための移動手段として、はしご２０４が掛けられている。はしご２０４は、着脱自在とされており、必要なときに掛けられる。
このような構成のエレベータ装置とすることにより、かご５の上方の昇降路１の天井までの空間Ｓは障害物の無い空間となる。したがってオーバーヘッド寸法は、図９の機械室２が昇降路１の外に設けられている場合と同じ寸法Ｈ１が得られる。したがって、機械室を含む昇降路の全体の高さは、ほぼエレベータが昇降するためだけに必要な高さとなり、従来より低いものとなる。
図３は拡張床及び拡張床落下防止壁を広げた場合のエレベータ装置の縦断面図である。図４は拡張床及び拡張床落下防止壁を広げた場合のエレベータ装置の横断面図である。機械室２００は、機械室床２０１から略水平に突出可能に設けられた拡張床２０８を有している。拡張床２０８は、かご５が昇降する空間及びかごが昇降方向に延長して移動した場合の仮想の空間内に突出しないように収納された収納位置と機械室床２０１を延長するように機械室床２０１から伸張された突出位置との間を進退動するように設けられている。機械室床２０１及び拡張床２０８から昇降路１の天井まで間の高さは、保守員が作業するのに十分な高さとされている。
次に拡張される機械室２００の構造について保守員の作業手順に沿って詳しく述べる。図５は機械室を拡張して行く様子を示す図４のＶ−Ｖ線に沿う矢視断面図である。図６は機械室を拡張して行く様子を示す図３のＶＩ−ＶＩＩ線に沿う矢視断面図である。図５（ａ）と図６（ａ）は、拡張床２０８が収納位置にある状態を示している。拡張床２０８は、収納位置では壁２０３の一部をなし、ヒンジ２０９によって下端部を機械室床２０１に回動自在に接続され、かご５の昇降空間側に略水平となるように倒されて突出位置とされる。図５（ｄ）と図６（ｄ）は、拡張床２０８が突出位置にある状態を示している。
まず、保守員はかご５の天井からはしご２０４を使って機械室２００へ上る。次に、ワイヤ２０７でフック２０６と拡張床２０８とを結ぶ（図５の（ａ））。そして、拡張床２０８をかご５の昇降空間側の突出位置に倒す。突出位置に突出した拡張床２０８は、昇降路１との間に張り渡されたワイヤ２０７によって支持されて水平となる（図５の（ｂ））。
次に、保守員はかご５の昇降空間側に設けられた第１の拡張床落下防止壁２１０を立てる。第１の拡張床落下防止壁２１０は、下端部をヒンジ２１２によって拡張床２０８の外周縁に回動自在に接続され、収納時には折り畳まれているが保守作業時に立て起こされる（図５の（ｃ），図６の（ｃ））。
さらに、保守員は拡張床２０８の両側縁部に各々設けられた２つの第２の拡張床落下防止壁２１１を立てる。第２の拡張床落下防止壁２１１は、第１の拡張床落下防止壁２１０と同じようにヒンジによって拡張床２０８の側縁に回動自在に接続され、収納時には折り畳まれているが保守作業時に立て起こされる（図５の（ｄ），図６の（ｄ））。
最後に、保守員は、第１の拡張床落下防止壁２１０、第２の拡張床落下防止壁２１１、及び壁２０３の各々を、連結金具２１３を使って連結して安定させる。連結金具２１３は、コ字型をなす金具で、２本の平行部を隣り合う壁の上部角に設けられた図示しない挿入穴に挿入して連結する。第１の拡張床落下防止壁２１０及び第２の拡張床落下防止壁２１１は、本実施例では、板状で強固なものであるが、例えばパイプで作製されたような構造が簡単な柵で代用されても良い。
このように構成されたエレベータ装置においては、エレベータの昇降路１内において、かご５の昇降方向にかご５と重ならない空間に設けられた機械室２００を有し、機械室２００は、昇降路１壁面から水平に突設された機械室床２０１と、保守員が機械室床２０１にかご５から乗り移るためのはしご２０４と、機械室床２０１から水平に突出可能に設けられた拡張床２０８とを有し、拡張床２０８は、かごの昇降方向にかご５と重なる空間に突出しないように収納された収納位置と機械室床２０１を延長するように機械室床２０１から伸張した突出位置との間を進退動するように設けられ、機械室床２０１及び拡張床２０８から昇降路１の天井まで間の高さは、保守員が作業可能な高さとされている。そのため、昇降路１の全高を高くすることなく、機械室２００を昇降路１内に設けることができ、かつ機械室２００に充分な作業スペースを確保することができる。
なお、本実施例では、移動手段は、かご５の天井と機械室床２０１との間に掛けられたはしご２０４であるが、移動手段は、はしご２０４に限らず例えば昇降路１に設けられた外部からの入り口などであっても良い。
実施例２．
図７はこの発明のエレベータ装置の他の例を示す縦断面図である。図８は図７のエレベータ装置の横断面図である。実施例１では巻上機３が機械室２００内に設置される例を示したが、巻上機の配置はこれに限ることはなく、例えば図７及び図８に示すように巻上機３ａのサイズが大きく機械室２００からはみ出す場合の構成に適用されても良い。本実施例は、巻上機３ａは機械室２００の最上部に配置されて、かつかご５が延長して移動した空間と重なっている。したがってこの場合のオーバーヘッド寸法は、巻上機３ａが障害物となるので巻上機３ａの下部までのＨ４となる。その他の構成は実施例１と同じである。本実施例は、巻上機３ａの寸法だけ昇降路１の全高は実施例１より高くはなるが、概略実施例１と同様の効果を得ることができる。
産業上の利用の可能性
この発明に係るエレベータ装置は、エレベータの昇降路内において、かごが昇降する空間及びかごが昇降方向に延長して移動した場合の仮想の空間に対して両空間と重ならない空間に設けられた機械室を有し、機械室は、昇降路壁面から略水平方向に突設された機械室床と、保守員がかご或いは建物から機械室床に乗り移るための移動手段と、機械室床から略水平方向に突出可能に設けられた拡張床とを有し、拡張床は、かごが昇降する空間及びかごが昇降方向に延長して移動した場合の仮想の空間内に突出しないように収納された収納位置と機械室床を延長するように機械室床から伸張された突出位置との間を進退動するように設けられ、機械室床及び拡張床から昇降路天井まで間の高さは、保守員が作業可能な高さとされている。そのため、昇降路の全高を高くすることなく、機械室を昇降路内に設けることができ、かつ機械室に充分な作業スペースを確保することができる。
また、機械室床は、外周縁に落下防止用の機械室壁が立設されている。そのため、保守員が安全に作業できるとともに、工具等が昇降路内に落下することなく、安全性が向上する。
また、機械室床は、昇降路内の内壁間にはり渡された梁上に設けられている。そのため、巻上機や制御盤はもとより、かごやカウンタウエイトの荷重に耐える強固な作りとすることができる。
また、拡張床は、収納位置では機械室壁の一部をなし、下端部を機械室床に回動自在に接続され、かごの昇降空間側に倒されて突出位置となる。そのため、拡張床は、他のスペースを阻害することなくきれいに収納され、作業性が向上する。
また、拡張床の外周縁に落下防止用の拡張床落下防止壁が設けられている。そのため、保守員が安全に作業できるとともに、工具等が昇降路内に落下することなく、安全性が向上する。
また、突出位置に突出した拡張床は、拡張床と昇降路との間に張り渡されたワイヤによって支持される。そのため、簡単な構造で確実に拡張床を支持することができるとともに、支持構造を小さなスペースで実現することができる。
また、拡張床は、概略矩形をなし１辺を機械室床に回動自在に接続され、他の３辺に拡張床落下防止壁がそれぞれ設けられて、隣接する拡張床落下防止壁及び機械室壁は、相互に連結される。そのため、拡張床落下防止壁が安定して固定され、安全性が向上する。
さらに、移動手段は、かごの天井を介して機械室床に移動するはしごである。そのため、簡単な構成で移動手段を構成することができ、コストダウンを図ることができる。
【図面の簡単な説明】
図１はこの発明の実施例１のエレベータ装置の断面図である。
図２は図１のＩＩ−ＩＩ線に沿う矢視断面図である。
図３は拡張床及び拡張床落下防止壁を広げた場合のエレベータ装置の縦断面図である。
図４は拡張床及び拡張床落下防止壁を広げた場合のエレベータ装置の横断面図である。
図５は機械室を拡張して行く様子を示す図４のＶ−Ｖ線に沿う矢視断面図である。
図６は機械室を拡張して行く様子を示す図３のＶＩ−ＶＩ線に沿う矢視断面図である。
図７はこの発明の実施例２のエレベータ装置の他の例を示す縦断面図である。
図８は図７のエレベータ装置の横断面図である。
図９は従来のエレベータ装置を示す昇降路の断面図である。
【図１】
2003078289.tif 000003
【図２】
2003078289.tif 000004
【図３】
2003078289.tif 000005
【図４】
2003078289.tif 000006
【図５】
2003078289.tif 000007
【図６】
2003078289.tif 000008
【図７】
2003078289.tif 000009
【図８】
2003078289.tif 000010
【図９】
2003078289.tif 000011
【国際調査報告】
2003078289.tif 000012
2003078289.tif 000013
2003078289.tif 000014
2003078289.tif 000015